(57)【要約】【課題】製造しやすく耐久性の高い起き上がり小法師を提供すること。【解決手段】上部材２と下部材３とを組み合わせてなり，上部材２と下部材３との間に中空空間４が形成されている起き上がり小法師１であって，下部材３の外面７が下向きに突出した凸面形状であり，下部材３の内面側に錘部５が一体に形成されており，上部材２と下部材３とがいずれも金属鍛造成型品であり，上部材２と下部材３とを組み合わせた状態での全体の重心Ｇが，全体の高さ方向寸法Ｈの中心よりも下寄りに位置するものである。【選択図】図２
2018079223.tif 000002
【特許請求の範囲】
【請求項１】
上部材と下部材とを組み合わせてなり，前記上部材と前記下部材との間に空間部分が形成されている起き上がり小法師であって，
前記下部材の外面が下向きに突出した凸面形状であり，
前記下部材の内面側に錘部が一体に形成されており，
前記上部材と前記下部材とがいずれも金属鍛造成型品であり，
前記上部材と前記下部材とを組み合わせた状態での全体の重心が，全体の高さ方向寸法の中心よりも下寄りに位置することを特徴とする起き上がり小法師。
【請求項２】
請求項１に記載の起き上がり小法師であって，
前記上部材と前記下部材との間の空間部分に収納される内蔵起き上がり小法師を有し，  前記内蔵起き上がり小法師は，
内蔵上部材と内蔵下部材とを組み合わせてなり，
前記内蔵上部材と前記内蔵下部材との間に空間部分が形成されており，
前記内蔵下部材の外面が下向きに突出した凸面形状であり，
前記内蔵下部材の内面側に錘部が一体に形成されており，
前記内蔵上部材と前記内蔵下部材とがいずれも金属鍛造成型品であり，
前記上部材と前記下部材とが，取り外し可能とされていることを特徴とする起き上がり小法師。
【請求項３】
請求項２に記載の起き上がり小法師であって，
前記下部材の内面側には，前記上部材に向かって突出する突起部が一体に形成されており，
前記内蔵下部材の外面の一部に，前記突起部が入り込める大きさの凹部が形成されており，
前記上部材と前記下部材との間の空間部分に前記内蔵起き上がり小法師が収納されている状態では，前記内蔵下部材の外面の一部に，前記突起部の凹部に前記下部材の突起部が入り込んでいることを特徴とする起き上がり小法師。
【発明の詳細な説明】
【技術分野】
【０００１】
本発明は，倒立状態ないし横倒し状態で置いてもひとりでに正立状態に起き上がる起き上がり小法師に関するものである。
【背景技術】
【０００２】
従来の起き上がり小法師として，特許文献１に記載されたものが挙げられる。同文献の図２に記載されている起き上がり小法師は，中空構造体である「本体２０」の内部に「錘３０」を収容したものである。「本体２０」の内面にはさらに，円筒状の「錘保持部４０」が形成されている。「錘３０」が「錘保持部４０」に入ることで，「本体２０」が起き上がり小法師として機能するようになっている。「本体２０」の材質としては合成樹脂材料が例示されている（同文献の［００１３］）。
【先行技術文献】
【特許文献】
【０００３】
【特許文献１】特開２０１４−０７３１７４号公報
【発明の概要】
【発明が解決しようとする課題】
【０００４】
しかしながら前記した従来の起き上がり小法師には，次のような問題点があった。まず，構造が複雑である。中空構造体の内部に重量物である錘を収容するとともに，その錘の保持構造を内蔵しているからである。このため製造が煩雑である。また，耐久性に乏しく破損しやすいという一面もある。脆弱な材質の中空構造体の中に重量物が固定されない状態で収納されているからである。
【０００５】
本発明は，前記した従来の起き上がり小法師が有する問題点を解決するためになされたものである。すなわちその課題とするところは，製造しやすく耐久性の高い起き上がり小法師を提供することにある。
【課題を解決するための手段】
【０００６】
本発明の一態様における起き上がり小法師は，上部材と下部材とを組み合わせてなり，上部材と下部材との間に空間部分が形成されている物品であって，下部材の外面が下向きに突出した凸面形状であり，下部材の内面側に錘部が一体に形成されており，上部材と下部材とがいずれも金属鍛造成型品であり，上部材と下部材とを組み合わせた状態での全体の重心が，全体の高さ方向寸法の中心よりも下寄りに位置するものである。上記態様における起き上がり小法師は，各部材が鍛造による一体成形品なので，製造しやすく，耐久性もある。
【０００７】
別の一態様における起き上がり小法師は，上記態様の起き上がり小法師であってさらに，上部材と下部材との間の空間部分に収納される内蔵起き上がり小法師を有し，内蔵起き上がり小法師は，内蔵上部材と内蔵下部材とを組み合わせてなり，内蔵上部材と内蔵下部材との間に空間部分が形成されており，内蔵下部材の外面が下向きに突出した凸面形状であり，内蔵下部材の内面側に錘部が一体に形成されており，内蔵上部材と内蔵下部材とがいずれも金属鍛造成型品であり，上部材と下部材とが，取り外し可能とされているものである。かかる入れ子構造によりさらに趣味感が向上する。
【０００８】
入れ子構造の態様の起き上がり小法師ではさらに，下部材の内面側には，上部材に向かって突出する突起部が一体に形成されており，内蔵下部材の外面の一部に，突起部が入り込める大きさの凹部が形成されており，上部材と下部材との間の空間部分に内蔵起き上がり小法師が収納されている状態では，内蔵下部材の外面の一部に，突起部の凹部に下部材の突起部が入り込んでいるものとしてもよい。突起部が凹部に入り込んだ状態となることで，内蔵起き上がり小法師の姿勢が安定する利点がある。
【発明の効果】
【０００９】
本構成によれば，製造しやすく耐久性の高い起き上がり小法師が提供されている。
【図面の簡単な説明】
【００１０】
【図１】実施の形態に係る起き上がり小法師の外観を示す斜視図である。
【図２】実施の形態に係る起き上がり小法師の内部構造を示す断面図である。
【図３】第２の形態に係る起き上がり小法師の内部構造を示す断面図である。
【図４】第３の形態に係る起き上がり小法師の内部構造を示す断面図である。
【発明を実施するための形態】
【００１１】
［第１の形態］
以下，本発明を具体化した実施の形態について，添付図面を参照しつつ詳細に説明する。本形態は，図１に示す起き上がり小法師１に本発明を適用したものである。図１の起き上がり小法師１は，全体としてほぼ球形の外形の物品である。起き上がり小法師１の外面には，適宜の装飾造形が施されている。かかる起き上がり小法師１は，上部材２と下部材３とを組み合わせて構成されている。
【００１２】
図２の断面図に，起き上がり小法師１の内部構造を示す。図２に示されるように起き上がり小法師１の内部においては，上部材２と下部材３との間に中空空間４が形成されている。上部材２と下部材３とはいずれも，起き上がり小法師１にて外面をなす部分だけ見ればほぼ半球状のものである。さらに，上部材２と下部材３とはいずれも，金属材料の鍛造加工による一体成型品である。なお図２においては，図１に示した起き上がり小法師１の外面の装飾造形は省略している。
【００１３】
上部材２は，ほぼ半球のシンプルなボウル状のものである。すなわち上部材２の内面側には，特段の造形が形成されていない。一方，下部材３は，全体的に上部材２よりも肉厚に形成されている。つまり下部材３の内面側には，錘部５が一体に形成されている。言い替えると，下部材３のうち，上部材２の肉厚の分よりも内面側に張り出している部分が錘部５であるといえる。下部材３は，この錘部５の部分も含めて全体が一体成型品である。図２においてはさらに，錘部５の一部に，上方へ向かって突出する突起部６が形成されている。下部材３の外面７は，下向きに突出した凸状の曲面である。外面７は，底面８とその周りの曲面部９とから構成されているが，前述の通り全体としてほぼ半球状である。
【００１４】
上記構成により起き上がり小法師１においては，上部材２と下部材３とを合わせた全体としての重心Ｇが，全高Ｈの半分よりも下寄りに位置している（図２）。これにより起き上がり小法師１は，いわゆる起き上がり小法師として機能するものである。なお，上部材２や下部材３を構成する金属材料の種類については特段の限定はない。普通鋼，特殊鋼，鋳鉄，アルミ，チタン，マグネシウム，銅，亜鉛，ニッケル等，通常容易に入手しうるいかなる種類のもの（合金を含む）でもよい。上部材２と下部材３とで同じでもよいし違ってもよい。また，防錆処理や着色処理その他の表面処理を適宜施したものであってもよい。
【００１５】
上記の起き上がり小法師１は，一旦鍛造用の金型を作ってしまえば容易に製造することができる。また，可動部分を有しないので，壊れることはほとんどなく耐久性が高い。また，ある程度の重量感があり，置物として使用することもできる。
【００１６】
［第２の形態］
第２の形態に係る起き上がり小法師１０の断面を図３に示す。図３の起き上がり小法師１０は，外観的には図１に示した第１の形態の起き上がり小法師１と別段変わるものではない。ただし起き上がり小法師１０は，内部に内蔵起き上がり小法師１１を内蔵している。起き上がり小法師１０自体は，やはり上部材１２と下部材１３とで構成されている。下部材１３には突起部６が形成されていない。また，起き上がり小法師１０では，上部材１２と下部材１３とは取り外し可能となっている。それらの点以外は，起き上がり小法師１０自体と第１の形態の起き上がり小法師１とで別段変わるところはない。
【００１７】
内蔵起き上がり小法師１１は，起き上がり小法師１０の内部の中空空間１４に配置されている。内蔵起き上がり小法師１１は，第１の形態の起き上がり小法師１をほぼそのまま縮小したものと考えてよい。すなわち，内蔵起き上がり小法師１１は，いずれも金属の鍛造一体成型品である内蔵上部材２２と内蔵下部材２３とを組み合わせたものである。内蔵上部材２２と内蔵下部材２３との間には中空空間２４が形成されている。内蔵下部材２３の内面には錘部２５が一体に形成されている。
【００１８】
これにより第２の形態に係る起き上がり小法師１０は，内蔵起き上がり小法師１１を収納している状態でも，また内蔵起き上がり小法師１１を取り出した状態でも，起き上がり小法師として機能する。また，内蔵起き上がり小法師１１自体もまた起き上がり小法師として機能する。なお，内蔵起き上がり小法師１１の外面の装飾造形は，起き上がり小法師１０の外面の装飾造形と同じデザインのものでもよいし，違うデザインのものでもよい。
【００１９】
［第３の形態］
図４に，第３の形態に係る起き上がり小法師３０の断面図を示す。図４に示す起き上がり小法師３０は，第２の形態の起き上がり小法師１０と同様に内蔵起き上がり小法師を有する入れ子構造のものである。ただし第３の形態の起き上がり小法師３０自体は，第１の形態の起き上がり小法師１と同様に，突起部６のある下部材３を用いているものである。ただし第２の形態の場合と同様に，上部材２と下部材３とは取り外し可能となっている。
【００２０】
第３の形態における内蔵起き上がり小法師３１は，内蔵下部材３３を用いているものである。内蔵下部材３３は，外面の底部側の中央に凹部３４が形成されているものである。それ以外の点では，第３の形態の内蔵起き上がり小法師３１は，第２の形態の内蔵起き上がり小法師１１と同様のものである。凹部３４は，内蔵起き上がり小法師３１を起き上がり小法師３０に収納している状態で，内蔵下部材３３と突起部６との干渉を回避するための形状である。よって凹部３４は当然，突起部６が入り込める大きさとされている。そして図４の収納状態では，凹部３４に突起部６が入り込んでいる。本形態では，図４の収納状態において，内部の内蔵起き上がり小法師３１の姿勢が，外側の内蔵起き上がり小法師３１に対して安定しているという利点がある。なお第３の形態では，内蔵下部材３３の凹部３４の底部３５の辺りが薄肉部となるが，この部分を窓状に開口させたものとしてもよい。
【００２１】
以上詳細に説明したように本実施の形態によれば，鍛造加工による一体成型品である上部材と下部材との組み合わせにより起き上がり小法師を構成している。これにより，簡素な工程で製造でき，耐久性が高い起き上がり小法師が実現されている。また，ある程度の重量感も得られている。また，内蔵起き上がり小法師を内蔵する入れ子構造とすることで，さらに趣味感を増すこともできる。
【００２２】
なお，本実施の形態は単なる例示にすぎず，本発明を何ら限定するものではない。したがって本発明は当然に，その要旨を逸脱しない範囲内で種々の改良，変形が可能である。例えば，上部材と下部材との嵌め合わせ箇所は，必ずしも全周にわたって密着しているものでなくてもよい。局所的に隙間が空いていても構わない。また，底面８はなくてもよい。また，３つ以上の起き上がり小法師の入れ子構造としてもよい。また，入れ子構造の場合，いずれか１つの物品のみが起き上がり小法師機能を有するものであっても，本発明の範囲内とする。
【符号の説明】
【００２３】
１，１０，３０  起き上がり小法師
２，１２        上部材
３，１３        下部材
４，１４，２４  中空空間
５，２５        錘部
６              突起部
７              下部材の外面
１１，３１      内蔵起き上がり小法師
２２            内蔵上部材
２３，３３      内蔵下部材
３４            凹部
Ｇ              重心
Ｈ              全高
【図１】
2018079223.tif 000003
【図２】
2018079223.tif 000004
【図３】
2018079223.tif 000005
【図４】
2018079223.tif 000006
【手続補正書】
【提出日】平成29年1月31日(2017.1.31)
【手続補正１】
【補正対象書類名】明細書
【補正対象項目名】０００８
【補正方法】変更
【補正の内容】
【０００８】
入れ子構造の態様の起き上がり小法師ではさらに，下部材の内面側には，上部材に向かって突出する突起部が一体に形成されており，内蔵下部材の外面の一部に，突起部が入り込める大きさの凹部が形成されており，上部材と下部材との間の空間部分に内蔵起き上がり小法師が収納されている状態では，内蔵下部材の外面の一部の凹部に下部材の突起部が入り込んでいるものとしてもよい。突起部が凹部に入り込んだ状態となることで，内蔵起き上がり小法師の姿勢が安定する利点がある。
【手続補正２】
【補正対象書類名】特許請求の範囲
【補正対象項目名】請求項３
【補正方法】変更
【補正の内容】
【請求項３】
請求項２に記載の起き上がり小法師であって，
前記下部材の内面側には，前記上部材に向かって突出する突起部が一体に形成されており，
前記内蔵下部材の外面の一部に，前記突起部が入り込める大きさの凹部が形成されており，
前記上部材と前記下部材との間の空間部分に前記内蔵起き上がり小法師が収納されている状態では，前記内蔵下部材の外面の一部の凹部に前記下部材の突起部が入り込んでいることを特徴とする起き上がり小法師。
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
上部材と下部材とを組み合わせてなり，前記上部材と前記下部材との間に空間部分が形成されている起き上がり小法師であって，
前記下部材の外面が下向きに突出した凸面形状であり，
前記下部材の内面側に錘部が一体に形成されており，
前記下部材の内面側には，前記上部材に向かって突出する突起部が一体に形成されており，
前記上部材と前記下部材とがいずれも金属鍛造成型品であり，
前記上部材と前記下部材とを組み合わせた状態での全体の重心が，全体の高さ方向寸法の中心よりも下寄りに位置することを特徴とする起き上がり小法師。
【請求項２】
上部材と下部材とを組み合わせてなり，前記上部材と前記下部材との間に空間部分が形成されている起き上がり小法師であって，
前記下部材の外面が下向きに突出した凸面形状であり，
前記下部材の内面側に錘部が一体に形成されており，
前記上部材と前記下部材とがいずれも金属鍛造成型品であり，
前記上部材と前記下部材とを組み合わせた状態での全体の重心が，全体の高さ方向寸法の中心よりも下寄りに位置し，
前記上部材と前記下部材との間の空間部分に収納される内蔵起き上がり小法師を有し，  前記内蔵起き上がり小法師は，
内蔵上部材と内蔵下部材とを組み合わせてなり，
前記内蔵上部材と前記内蔵下部材との間に空間部分が形成されており，
前記内蔵下部材の外面が下向きに突出した凸面形状であり，
前記内蔵下部材の内面側に錘部が一体に形成されており，
前記内蔵上部材と前記内蔵下部材とがいずれも金属鍛造成型品であり，
前記上部材と前記下部材とが，取り外し可能とされていることを特徴とする起き上がり小法師。
【請求項３】
請求項２に記載の起き上がり小法師であって，
前記下部材の内面側には，前記上部材に向かって突出する突起部が一体に形成されており，
前記内蔵下部材の外面の一部に，前記突起部が入り込める大きさの凹部が形成されており，
前記上部材と前記下部材との間の空間部分に前記内蔵起き上がり小法師が収納されている状態では，前記内蔵下部材の外面の一部の凹部に前記下部材の突起部が入り込んでいることを特徴とする起き上がり小法師。
【手続補正２】
【補正対象書類名】明細書
【補正対象項目名】０００６
【補正方法】変更
【補正の内容】
【０００６】
本発明の一態様における起き上がり小法師は，上部材と下部材とを組み合わせてなり，上部材と下部材との間に空間部分が形成されている物品であって，下部材の外面が下向きに突出した凸面形状であり，下部材の内面側に錘部が一体に形成されており，下部材の内面側には，前上部材に向かって突出する突起部が一体に形成されており，上部材と下部材とがいずれも金属鍛造成型品であり，上部材と下部材とを組み合わせた状態での全体の重心が，全体の高さ方向寸法の中心よりも下寄りに位置するものである。上記態様における起き上がり小法師は，各部材が鍛造による一体成形品なので，製造しやすく，耐久性もある。
【手続補正３】
【補正対象書類名】明細書
【補正対象項目名】０００７
【補正方法】変更
【補正の内容】
【０００７】
別の一態様における起き上がり小法師は，上部材と下部材とを組み合わせてなり，上部材と下部材との間に空間部分が形成されている物品であって，下部材の外面が下向きに突出した凸面形状であり，下部材の内面側に錘部が一体に形成されており，上部材と下部材とがいずれも金属鍛造成型品であり，上部材と下部材とを組み合わせた状態での全体の重心が，全体の高さ方向寸法の中心よりも下寄りに位置する起き上がり小法師であってさらに，上部材と下部材との間の空間部分に収納される内蔵起き上がり小法師を有し，内蔵起き上がり小法師は，内蔵上部材と内蔵下部材とを組み合わせてなり，内蔵上部材と内蔵下部材との間に空間部分が形成されており，内蔵下部材の外面が下向きに突出した凸面形状であり，内蔵下部材の内面側に錘部が一体に形成されており，内蔵上部材と内蔵下部材とがいずれも金属鍛造成型品であり，上部材と下部材とが，取り外し可能とされているものである。かかる入れ子構造によりさらに趣味感が向上する。
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
上部材と下部材とを組み合わせてなり，前記上部材と前記下部材との間に空間部分が形成されている起き上がり小法師であって，
前記下部材の外面が下向きに突出した凸面形状であり，
前記下部材の内面側に錘部が一体に形成されており，
前記上部材と前記下部材とがいずれも金属鍛造成型品であり，
前記上部材と前記下部材とを組み合わせた状態での全体の重心が，全体の高さ方向寸法の中心よりも下寄りに位置し，
前記上部材と前記下部材との間の空間部分に収納される内蔵起き上がり小法師を有し，  前記内蔵起き上がり小法師は，
内蔵上部材と内蔵下部材とを組み合わせてなり，
前記内蔵上部材と前記内蔵下部材との間に空間部分が形成されており，
前記内蔵下部材の外面が下向きに突出した凸面形状であり，
前記内蔵下部材の内面側に錘部が一体に形成されており，
前記内蔵上部材と前記内蔵下部材とがいずれも金属鍛造成型品であり，
前記上部材と前記下部材とが，取り外し可能とされていることを特徴とする起き上がり小法師。
【請求項２】
請求項１に記載の起き上がり小法師であって，
前記下部材の内面側には，前記上部材に向かって突出する突起部が一体に形成されており，
前記内蔵下部材の外面の一部に，前記突起部が入り込める大きさの凹部が形成されており，
前記上部材と前記下部材との間の空間部分に前記内蔵起き上がり小法師が収納されている状態では，前記内蔵下部材の外面の一部の凹部に前記下部材の突起部が入り込んでいることを特徴とする起き上がり小法師。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明の一態様における起き上がり小法師は，上部材と下部材とを組み合わせてなり，上部材と下部材との間に空間部分が形成されている物品であって，下部材の外面が下向きに突出した凸面形状であり，下部材の内面側に錘部が一体に形成されており，上部材と下部材とがいずれも金属鍛造成型品であり，上部材と下部材とを組み合わせた状態での全体の重心が，全体の高さ方向寸法の中心よりも下寄りに位置する起き上がり小法師であってさらに，上部材と下部材との間の空間部分に収納される内蔵起き上がり小法師を有し，内蔵起き上がり小法師は，内蔵上部材と内蔵下部材とを組み合わせてなり，内蔵上部材と内蔵下部材との間に空間部分が形成されており，内蔵下部材の外面が下向きに突出した凸面形状であり，内蔵下部材の内面側に錘部が一体に形成されており，内蔵上部材と内蔵下部材とがいずれも金属鍛造成型品であり，上部材と下部材とが，取り外し可能とされているものである。かかる入れ子構造によりさらに趣味感が向上する。
【手続補正４】
【補正対象書類名】明細書
【補正対象項目名】０００８
【補正方法】変更
【補正の内容】
【０００８】
上記態様の起き上がり小法師ではさらに，下部材の内面側には，上部材に向かって突出する突起部が一体に形成されており，内蔵下部材の外面の一部に，突起部が入り込める大きさの凹部が形成されており，上部材と下部材との間の空間部分に内蔵起き上がり小法師が収納されている状態では，内蔵下部材の外面の一部の凹部に下部材の突起部が入り込んでいるものとしてもよい。突起部が凹部に入り込んだ状態となることで，内蔵起き上がり小法師の姿勢が安定する利点がある。
【手続補正５】
【補正対象書類名】明細書
【補正対象項目名】００１０
【補正方法】変更
【補正の内容】
【００１０】
【図１】参考形態に係る起き上がり小法師の外観を示す斜視図である。
【図２】参考形態に係る起き上がり小法師の内部構造を示す断面図である。
【図３】第１の形態に係る起き上がり小法師の内部構造を示す断面図である。
【図４】第２の形態に係る起き上がり小法師の内部構造を示す断面図である。
【手続補正６】
【補正対象書類名】明細書
【補正対象項目名】００１１
【補正方法】変更
【補正の内容】
【００１１】
［参考形態］
以下，本発明の理解のための参考形態について，添付図面を参照しつつ詳細に説明する。本参考形態は，図１に示す起き上がり小法師１である。図１の起き上がり小法師１は，全体としてほぼ球形の外形の物品である。起き上がり小法師１の外面には，適宜の装飾造形が施されている。かかる起き上がり小法師１は，上部材２と下部材３とを組み合わせて構成されている。
【手続補正７】
【補正対象書類名】明細書
【補正対象項目名】００１６
【補正方法】変更
【補正の内容】
【００１６】
［第１の形態］
本発明を具体化した第１の形態に係る起き上がり小法師１０の断面を図３に示す。図３の起き上がり小法師１０は，外観的には図１に示した参考形態の起き上がり小法師１と別段変わるものではない。ただし起き上がり小法師１０は，内部に内蔵起き上がり小法師１１を内蔵している。起き上がり小法師１０自体は，やはり上部材１２と下部材１３とで構成されている。下部材１３には突起部６が形成されていない。また，起き上がり小法師１０では，上部材１２と下部材１３とは取り外し可能となっている。それらの点以外は，起き上がり小法師１０自体と参考形態の起き上がり小法師１とで別段変わるところはない。
【手続補正８】
【補正対象書類名】明細書
【補正対象項目名】００１７
【補正方法】変更
【補正の内容】
【００１７】
内蔵起き上がり小法師１１は，起き上がり小法師１０の内部の中空空間１４に配置されている。内蔵起き上がり小法師１１は，参考形態の起き上がり小法師１をほぼそのまま縮小したものと考えてよい。すなわち，内蔵起き上がり小法師１１は，いずれも金属の鍛造一体成型品である内蔵上部材２２と内蔵下部材２３とを組み合わせたものである。内蔵上部材２２と内蔵下部材２３との間には中空空間２４が形成されている。内蔵下部材２３の内面には錘部２５が一体に形成されている。
【手続補正９】
【補正対象書類名】明細書
【補正対象項目名】００１８
【補正方法】変更
【補正の内容】
【００１８】
これにより第１の形態に係る起き上がり小法師１０は，内蔵起き上がり小法師１１を収納している状態でも，また内蔵起き上がり小法師１１を取り出した状態でも，起き上がり小法師として機能する。また，内蔵起き上がり小法師１１自体もまた起き上がり小法師として機能する。なお，内蔵起き上がり小法師１１の外面の装飾造形は，起き上がり小法師１０の外面の装飾造形と同じデザインのものでもよいし，違うデザインのものでもよい。
【手続補正１０】
【補正対象書類名】明細書
【補正対象項目名】００１９
【補正方法】変更
【補正の内容】
【００１９】
［第２の形態］
図４に，第２の形態に係る起き上がり小法師３０の断面図を示す。図４に示す起き上がり小法師３０は，第１の形態の起き上がり小法師１０と同様に内蔵起き上がり小法師を有する入れ子構造のものである。ただし第２の形態の起き上がり小法師３０自体は，参考形態の起き上がり小法師１と同様に，突起部６のある下部材３を用いているものである。ただし第１の形態の場合と同様に，上部材２と下部材３とは取り外し可能となっている。
【手続補正１１】
【補正対象書類名】明細書
【補正対象項目名】００２０
【補正方法】変更
【補正の内容】
【００２０】
第２の形態における内蔵起き上がり小法師３１は，内蔵下部材３３を用いているものである。内蔵下部材３３は，外面の底部側の中央に凹部３４が形成されているものである。それ以外の点では，第２の形態の内蔵起き上がり小法師３１は，第１の形態の内蔵起き上がり小法師１１と同様のものである。凹部３４は，内蔵起き上がり小法師３１を起き上がり小法師３０に収納している状態で，内蔵下部材３３と突起部６との干渉を回避するための形状である。よって凹部３４は当然，突起部６が入り込める大きさとされている。そして図４の収納状態では，凹部３４に突起部６が入り込んでいる。本形態では，図４の収納状態において，内部の内蔵起き上がり小法師３１の姿勢が，外側の内蔵起き上がり小法師３１に対して安定しているという利点がある。なお第２の形態では，内蔵下部材３３の凹部３４の底部３５の辺りが薄肉部となるが，この部分を窓状に開口させたものとしてもよい。
【手続補正１２】
【補正対象書類名】明細書
【補正対象項目名】００２１
【補正方法】変更
【補正の内容】
【００２１】
以上詳細に説明したように本実施の形態によれば，鍛造加工による一体成型品である上部材と下部材との組み合わせにより起き上がり小法師を構成している。これにより，簡素な工程で製造でき，耐久性が高い起き上がり小法師が実現されている。また，ある程度の重量感も得られている。また，内蔵起き上がり小法師を内蔵する入れ子構造とすることで，さらに趣味感を増している。